(57)【要約】      （修正有）【課題】一対の帯布の両端部分の四個の遊離端部のうちの一方端部分及び他方端部分の遊離端部により蝶々結びなどの様々な結び方で結び目を形成し、次いで、残りの一方端部分及び他方端部分の遊離端部により蝶々結びなどの様々な結び方で結び目を形成し、結び目を前側から後側に回して使用することになり、二つの結び目の存在により帯の華やかさ、斬新性、多様性などの優れた装飾的効果を得ることができる帯を提供する。【解決手段】一対の帯布Ｂ・Ｂからなり、一対の帯布は互いに異なる色彩とされ、一対の帯布の長手方向辺縁部Ｂ１・Ｂ１は対向配置され、各帯布の対向する長手方向辺縁部の中間部分ＬＭは互いに縫着部Ｈにより縫着され、各帯布の対向する長手方向辺縁部の反対側の長手方向辺縁部Ｂ２・Ｂ２の中間部分は縫着されずに遊離辺縁部Ｆ・Ｆに形成され、一対の帯布の両端部分ＬＨ・ＬＨは互いに遊離する遊離端部Ｔ１・Ｔ２・Ｔ３・Ｔ４に形成されてなる。【選択図】図１
0003206666.tif 000002
【実用新案登録請求の範囲】
【請求項１】
一対の帯布からなり、該一対の帯布は互いに異なる色彩とされ、該一対の帯布の長手方向辺縁部は対向配置され、該各帯布の対向する長手方向辺縁部の中間部分は互いに縫着部により縫着され、該各帯布の対向する長手方向辺縁部の反対側の長手方向辺縁部の中間部分は縫着されずに遊離辺縁部に形成され、該一対の帯布の両端部分は互いに遊離する遊離端部に形成されていることを特徴とする帯。
【請求項２】
上記一対の帯布の生地は、いずれもオーガンジーからなることを特徴とする請求項１記載の帯。
【請求項３】
上記一対の帯布の長手方向辺縁部及び幅方向辺縁部からなる全辺縁部はかがり縫い部により縫着されていることを特徴とする請求項１又は２記載の帯。
【考案の詳細な説明】
【技術分野】
【０００１】
本考案は例えば女性用の浴衣等の着物に好適な帯に関するものである。
【背景技術】
【０００２】
従来、この種の浴衣用の帯として、例えば、柔らかい縮緬系の一枚の帯布からなる構造のものが知られている。
【先行技術文献】
【特許文献】
【０００３】
【特許文献１】特開２００２−１８０３１６
【考案の概要】
【考案が解決しようとする課題】
【０００４】
しかしながら、これら従来の帯の場合、帯使用時の装飾的効果は、帯布の彩色、模様、風合い及び結び方、付属の装飾品などに依拠することになり、このため、帯の華やかさ、斬新性、多様性などの装飾的効果に乏しいことがあるという不都合を有している。
【課題を解決するための手段】
【０００５】
本考案はこれらの不都合を解決することを目的とするもので、本考案のうちで、請求項１記載の考案は、一対の帯布からなり、該一対の帯布は互いに異なる色彩とされ、該一対の帯布の長手方向辺縁部は対向配置され、該各帯布の対向する長手方向辺縁部の中間部分は互いに縫着部により縫着され、該各帯布の対向する長手方向辺縁部の反対側の長手方向辺縁部の中間部分は縫着されずに遊離辺縁部に形成され、該一対の帯布の両端部分は互いに遊離する遊離端部に形成されていることを特徴とする帯にある。
【０００６】
又、請求項２記載の考案は、上記一対の帯布の生地は、いずれもオーガンジーからなることを特徴とするものであり、又、請求項３記載の考案は、上記一対の帯布の長手方向辺縁部及び幅方向辺縁部からなる全辺縁部はかがり縫い部により縫着されていることを特徴とするものである。
【考案の効果】
【０００７】
本考案は上述の如く、請求項１記載の考案にあっては、一対の帯布の対向する長手方向辺縁部の中間部分の縫着部を折り目として半幅に折り返し、二つ折りにした帯布を一本の帯とし、着物上から使用者の腰部に巻き付け、一対の帯布の両端部分の四個の遊離端部のうちの一方端部分及び他方端部分の遊離端部により蝶々結びなどの様々な結び方で結び目を形成し、次いで、残りの一方端部分及び他方端部分の遊離端部により蝶々結びなどの様々な結び方で結び目を形成し、結び目を前側から後側に回して使用することになり、二つの結び目の存在により帯の華やかさ、斬新性、多様性などの優れた装飾的効果を得ることができ、かつ、一対の帯布は互いに異なる色彩とされているので、色彩の異なる結び目を形成することができ、或いは、それぞれの結び目毎において色彩も異なる結び目も形成することができ、二つの結び目の存在により帯の華やかさ、斬新性、多様性などの優れた装飾的効果を得ることができ、さらに、一対の帯布のうちのどちらの帯布を表にするかによっても多様性を得ることができ、またさらに、各帯布の対向する長手方向辺縁部の中間部分は互いに縫着部により縫着され、各帯布の対向する長手方向辺縁部の反対側の長手方向辺縁部の中間部分は縫着されずに遊離辺縁部に形成されているから、帯の中間部分においても、一対の帯布のうちの一方の帯布の上に他方の帯布を引っ張り出して露見させることもでき、それだけ、一層、華やかさ、斬新性、多様性を演出することができる。
【０００８】
又、請求項２記載の考案にあっては、上記一対の帯布の生地は、いずれもオーガンジーからなるので、オーガンジーは薄手で軽く、透けて光沢がある生地であるから、女性の浴衣用の帯に使用することにより装飾的効果を向上することができ、又、請求項３記載の考案にあっては、上記一対の帯布の長手方向辺縁部及び幅方向辺縁部からなる全辺縁部はかがり縫い部により縫着されているから、各帯布の全辺縁部の布端のほつれを防ぐことができ、結び目の装飾的効果を維持することができ、帯の差別化及び識別化を高めることができ、帯の商品価値を向上することができる。
【図面の簡単な説明】
【０００９】
【図１】本考案の実施の形態例の展開斜視図である。
【図２】本考案の実施の形態例の折り返し状態の正面図である。
【図３】本考案の実施の形態例の横断面図である。
【図４】本考案の実施の形態例の使用状態の説明図である。
【図５】本考案の実施の形態例の使用状態の説明図である。
【図６】本考案の実施の形態例の他の使用状態の説明図である。
【図７】本考案の実施の形態例の他の使用状態の説明図である。
【図８】本考案の実施の形態例の他の使用状態の説明図である。
【考案を実施するための形態】
【００１０】
図１乃至図８は本考案の実施の形態例を示し、Ｂ・Ｂは一対の帯布であって、略同長及び略同幅に形成され、かつ、この一対の帯布Ｂ・Ｂは互いに異なる色彩の生地が用いられている。
【００１１】
この場合、一方の帯布Ｂは水色、他方の帯布Ｂは黄緑色の互いに異なる色彩の生地が用いられている。
【００１２】
また、この場合、図１、図２、図３の如く、上記一対の帯布Ｂ・Ｂの長手方向辺縁部Ｂ１・Ｂ１は対向配置され、この各帯布Ｂ・Ｂの対向する長手方向辺縁部Ｂ１・Ｂ１の中間部分ＬＭは互いに縫着部Ｈにより縫着され、各帯布Ｂ・Ｂの対向する長手方向辺縁部Ｂ１・Ｂ１の反対側の長手方向辺縁部Ｂ２・Ｂ２の中間部分ＬＭは縫着されずに遊離辺縁部Ｆ・Ｆに形成され、各帯布Ｂ・Ｂの対向する長手方向辺縁部Ｂ１・Ｂ１の両端部分ＬＨ・ＬＨは互いに遊離する遊離端部Ｔ１・Ｔ２及び遊離端部Ｔ３・Ｔ４の計四個の遊離端部Ｔ１・Ｔ２・Ｔ３・Ｔ４に形成されている。
【００１３】
この場合、上記一対の帯布Ｂ・Ｂの生地は、いずれもオーガンジーからなり、又、この場合、上記一対の帯布Ｂ・Ｂの長手方向辺縁部Ｂ１・Ｂ１・Ｂ２・Ｂ２及び幅方向辺縁部Ｂ３・Ｂ３からなる全辺縁部においてはかがり縫い部Ｋにより縫着されている。
【００１４】
この実施の形態例は上記構成であるから、図４、図５の如く、一対の帯布Ｂ・Ｂの対向する長手方向辺縁部Ｂ１・Ｂ１の中間部分ＬＭの縫着部Ｈを折り目として半幅に折り返し、二つ折りにした帯布Ｂ・Ｂを一本の帯Ｐとし、図４の如く、着物Ｇ上から使用者Ｅの腰部に巻き付け、一対の帯布Ｂ・Ｂの両端部分ＬＨ・ＬＨの四個の遊離端部Ｔ１・Ｔ２・Ｔ３・Ｔ４のうちの一方端部分及び他方端部分の遊離端部Ｔ１・Ｔ２により蝶々結びなどの様々な結び方で結び目Ｍを形成し、次いで、図５の如く、残りの一方端部分及び他方端部分の遊離端部Ｔ３・Ｔ４により蝶々結びなどの様々な結び方で結び目Ｍを形成し、結び目Ｍ・Ｍを左右に並列状に配置し、結び目Ｍ・Ｍを前側から後側に回して使用することになり、二つの結び目Ｍ・Ｍの存在により帯Ｐの華やかさ、斬新性、多様性などの優れた装飾的効果を得ることができ、かつ、一対の帯布Ｂ・Ｂは互いに異なる色彩とされているので、色彩の異なる結び目Ｍ・Ｍを形成することができ、或いは、図６の他の使用例の如く、一方端部分及び他方端部分の遊離端部Ｔ１・Ｔ４により蝶々結びなどの様々な結び方で結び目Ｍを形成し、次いで、一方端部分及び他方端部分の遊離端部Ｔ２・Ｔ３により蝶々結びなどの様々な結び方で結び目Ｍ・Ｍを形成することによりそれぞれの結び目Ｍ毎において色彩も異なる結び目Ｍ・Ｍを形成することができ、二つの結び目Ｍ・Ｍの存在により帯Ｐの華やかさ、斬新性、多様性などの優れた装飾的効果を得ることができ、さらに、一対の帯布Ｂ・Ｂのうちのどちらの帯布Ｂを表にするかによっても多様性を得ることができ、またさらに、各帯布Ｂ・Ｂの対向する長手方向辺縁部Ｂ１・Ｂ１の中間部分ＬＭは互いに縫着部Ｈにより縫着され、各帯布Ｂ・Ｂの対向する長手方向辺縁部Ｂ１・Ｂ１の反対側の長手方向辺縁部Ｂ２・Ｂ２の中間部分ＬＭは縫着されずに遊離辺縁部Ｆ・Ｆに形成されているから、帯Ｐの中間部分ＬＭにおいても、一対の帯布Ｂ・Ｂのうちの一方の帯布Ｂの上に他方の帯布Ｂを引っ張り出して露見させることができ、それだけ、一層、華やかさ、斬新性、多様性を演出することもできる。
【００１５】
この場合、上記一対の帯布Ｂ・Ｂの生地は、いずれもオーガンジーからなるので、オーガンジーは薄手で軽く、透けて光沢がある生地であるから、女性の浴衣用の帯に使用することにより装飾的効果を向上することができ、又、この場合、上記一対の帯布Ｂ・Ｂの長手方向辺縁部Ｂ１・Ｂ１・Ｂ２・Ｂ２及び幅方向辺縁部Ｂ３・Ｂ３からなる全辺縁部はかがり縫い部Ｋにより縫着されているから、各帯布Ｂ・Ｂの全辺縁部の布端のほつれを防ぐことができ、結び目Ｍ・Ｍの装飾的効果を維持することができ、帯Ｐの差別化及び識別化を高めることができ、帯Ｐの商品価値を向上することができる。
【００１６】
図７は上記実施の形態例の帯Ｐを用いた他の使用例を示し、すなわち、上記使用例においては、二つの結び目Ｍ・Ｍを使用者Ｅの腰回りの左右位置に並列状に配置するようにしているが、この他の使用例にあっては、二つの結び目Ｍ・Ｍを使用者Ｅの腰回りの上下位置に二段状に配置するようにしている。
【００１７】
図８も上記実施の形態例の帯Ｐを用いた他の使用例を示し、すなわち、上記図７の使用例と同様に二つの結び目Ｍ・Ｍを使用者Ｅの腰回りの上下位置に二段状に配置し、かつ、上記図６の他の使用例の如く、それぞれの結び目Ｍ毎に色彩も異なる結び目Ｍ・Ｍを形成することができる。
【００１８】
この図７、図８の他の使用例においても、上記使用例と同様に華やかさ、斬新性、多様性を演出する作用効果を得ることができる。
【００１９】
尚、本考案は上記実施の形態例及び使用例に限られるものではなく、帯布Ｂ・Ｂの色彩、生地の種類、結び方などは各種のものが選択して使用され、帯布Ｂの幅、長さ、生地の風合いとは適宜変更して設計されるものである。
【００２０】
以上、所期の目的を充分達成することができる。
【符号の説明】
【００２１】
Ｂ    帯布
Ｂ１    長手方向辺縁部
Ｂ２    長手方向辺縁部
Ｂ３    幅方向辺縁部
Ｈ    縫着部
Ｍ    結び目
ＬＭ    中間部分
ＬＨ    両端部分
Ｔ１    遊離端部
Ｔ２    遊離端部
Ｔ３    遊離端部
Ｔ４    遊離端部
Ｆ    遊離辺縁部
Ｋ    かがり縫い部
Ｐ    帯
【図１】
0003206666.tif 000003
【図２】
0003206666.tif 000004
【図３】
0003206666.tif 000005
【図４】
0003206666.tif 000006
【図５】
0003206666.tif 000007
【図６】
0003206666.tif 000008
【図７】
0003206666.tif 000009
【図８】
0003206666.tif 000010